(57)【要約】      （修正有）【課題】  顧客が商品展示ケースから商品を不正に取り出すことができないように施錠すると共に、その施錠状態が振動等によって容易に解除されない開閉施錠装置とその解錠装置を提供する。【解決手段】  ケース本体の開口縁に沿って設けたハウジング8と、ハウジングの出入口を介して挿入方向と引出方向に移動可能な鍵部材9と、ケース本体の開口縁から開口部に向かう方向に関して前進方向と後退方向に移動可能な錠部材10とから構成されている。鍵部材は、ハウジングに挿入された状態で前記引出方向への移動を阻止するように係止するロック手段25と、該ロック手段の係止状態を維持せしめる弾性付勢手段50とを備えている。ロック手段は、弾性付勢手段に抗して鍵部材をハウジング内に更に若干挿入させた状態で、ハウジングの外部から解錠磁石手段を臨ませたときに係止を解除するように構成されている。【選択図】  図２
2006123935.tif 000002
【特許請求の範囲】
【請求項１】
商品(1)を取出自在に収納したケース本体(5)に関して、商品(1)を取出不能とするように該ケース本体(5)を施錠する錠手段(10)と、該錠手段(10)を施錠自在且つ解錠自在にロックする鍵手段(9)を設けた構成において、
前記鍵手段(9)は、ケース本体(5)のハウジング(8)に対して挿入方向Ｆ１に移動されたとき前記錠手段(10)を施錠し、引出方向Ｒ１に移動されたとき前記錠手段(10)を解錠するように構成され、
前記鍵手段(9)を前記ハウジング(8)に挿入した状態で、該鍵手段(9)の引出方向Ｒ１への移動を阻止するように、前記引出方向Ｒ１と交差する方向に揺動自在且つ弾性的に付勢されたロック爪(27)(27A,28A)と、前記引出方向Ｒ１に対向してロック爪(27)の先端部に係止する切欠部(28)(28A,28B)とから成るロック手段(25)を備えると共に、
該鍵手段(9)を引出方向Ｒ１に付勢することにより前記ロック爪(27)
(27A,28A)の先端部と切欠部(28) (28A,28B)を相互に押圧係止する弾性付勢手段(50)を備え、
更に、前記ハウジング(8)の外部から解錠磁石手段(44)を臨ませたとき、前記ロック手段(25)の係止を解除する方向にロック爪(27)
(27A,28A)を揺動可能とする解錠用磁性体(26)(26A,26B)を備えており、
前記ロック手段(25)が係止した状態から、鍵部材(9)を弾性付勢手段(50)に抗して挿入方向Ｆ１に移動させることにより前記ロック手段(25)の押圧係止を弛めると共に、前記ハウジング(8)の外部から解錠磁石手段(44)を臨ませることにより前記ロック手段(25)の係止を解除するように構成したことを特徴とする商品展示ケースの開閉施錠装置。
【請求項２】
収納室(3)に対して商品(1)を挿脱自在とするケース本体(5)の開口部(4)に、開口縁から開口部(4)の一部分を開閉自在に閉鎖する開閉施錠装置(7)を設けた構成において、
ケース本体(5)の開口縁に沿ってＸ軸方向に延設されると共に該Ｘ軸方向の端部に出入口(15)を開設したハウジング(8)と、Ｘ軸方向に関して前記出入口(15)を介して挿入方向Ｆ１と引出方向Ｒ１に進退移動自在となるようにハウジング(8)に挿入された鍵部材(9)と、ケース本体(5)の開口縁から開口部に向かうＹ軸方向に関して開口部(4)に対する前進方向Ｆ２と後退方向Ｒ２に進退移動自在となるように前記ハウジング(8)に添設された錠部材(10)とから構成されており、
前記錠部材(10)と鍵部材(9)は、相互に、鍵部材(9)を挿入方向Ｆ１に移動した状態で錠部材(10)を前進方向Ｆ２に移動した位置から後退方向Ｒ２に移動不能に保持し、鍵部材(9)を引出方向Ｒ１に移動した状態で錠部材(10)を後退方向Ｒ２に移動可能とするように構成されており、
前記鍵部材(9)を前記ハウジング(8)に挿入した状態で、該鍵部材(9)の引出方向Ｒ１への移動を阻止するように、前記引出方向Ｒ１と交差する方向に揺動自在且つ弾性的に付勢されたロック爪(27)と、前記引出方向Ｒ１に対向してロック爪(27)の先端部に係止する切欠部(28)とから成るロック手段(25)を備えると共に、
該鍵部材(9)を引出方向Ｒ１に付勢することにより前記ロック爪(27)の先端部と切欠部(28)を相互に押圧係止する弾性付勢手段(50)を備え、
更に、前記ハウジング(8)の外部から解錠磁石手段(44)を臨ませたとき、前記ロック手段(25)の係止を解除する方向にロック爪(27)を揺動可能とする解錠用磁性体(26)を備えており、
前記ロック手段(25)が係止した状態から、鍵部材(9)を弾性付勢手段(50)に抗して挿入方向Ｆ１に移動させることにより前記ロック手段(25)の押圧係止を弛めると共に、前記ハウジング(8)の外部から解錠磁石手段(44)を臨ませることにより前記ロック手段(25)の係止を解除するように構成したことを特徴とする商品展示ケースの開閉施錠装置。
【請求項３】
前記ロック手段(25)の切欠部(28)は、鍵部材(9)の引出方向Ｒ１に対向して臨む凹部(28a)を形成し、前記ロック爪(27)の先端部は、前記凹部(28a)に嵌入する凸部(27a)を形成しており、
前記鍵部材(9)を弾性付勢手段(50)により引出方向Ｒ１に付勢した状態で、ロック爪(27)の凸部(27a)を切欠部(28)の凹部(28a)に嵌入せしめ、ロック爪(27)の揺動を阻止するように構成したことを特徴とする請求項１又は２に記載の商品展示ケースの開閉施錠装置。
【請求項４】
前記鍵部材(9)は、前記ハウジング(8)に挿入されると共に弾性付勢手段(50)により付勢された状態で、前記ハウジング(8)の出入口(15)の縁部とほぼ面一となる栓部(23)を備えることを特徴とする請求項２又は３に記載の商品展示ケースの開閉施錠装置。
【請求項５】
請求項３に記載の開閉施錠装置(7)を解錠する解錠装置(39)であり、
ケース本体(5)のハウジング(8)の外部から鍵部材(9)のロック手段(25)に臨む第一支持壁(41)と、鍵部材(9)の栓部(23)に臨む第二支持壁(42)と、錠部材(10)の後退方向Ｒ２に対向して臨み前記第一支持壁(41)と平行に延びる受入溝(43)を構成し、
前記第一支持壁(41)に解錠磁石手段(44)を設けると共に、
前記第二支持壁(42)と前記鍵部材(9)の前記栓部(23)との何れか一方に、他方と当接する突起部(55)を設け、前記ケース本体(5)を前記第二支持壁(42)に向けて押し込んだとき、該突起部(55)により前記鍵部材(9)を弾性付勢手段(50)に抗して挿入方向Ｆ１に移動させることを特徴とする商品展示ケースの開閉施錠装置における解錠装置。
【請求項６】
前記第二支持壁(41)と前記鍵部材(9)の栓部(23)との間に、相互に係脱自在に係止する引抜き補助手段を設けたことを特徴とする請求項５に記載の商品展示ケースの開閉施錠装置における解錠装置。
【発明の詳細な説明】
【技術分野】
【０００１】
本発明は、商品、特に、ＣＤやＤＶＤ等を収納したソフト収納ケースを販売店や貸出店等の店舗において展示するための外装ケースとして使用される商品展示ケースに係り、顧客が商品展示ケースからソフト収納ケースを勝手に取り出すことができないように施錠する開閉施錠装置とその解錠装置を提供するものである。
【背景技術】
【０００２】
従来、ソフト収納ケースの外装ケースとして使用される商品展示ケースは、収納室に対してソフト収納ケースを挿脱自在とするケース本体の開口部に、開口縁から開口部の一部分を開閉自在に閉鎖する開閉施錠装置を設けたものが公知である。
【０００３】
開閉施錠装置は、ケース本体の開口縁にハウジングを設ける一方、該ハウジングに対して錠部材を着脱自在に固着し、錠部材により開口部の一部分を開閉自在に閉鎖するように構成している。錠部材は、ハウジングに挿入することにより自動ロック機構を介して取外し不能に固着され、これによりソフト収納ケースを外装ケースから取出せないように施錠する。
【０００４】
顧客がソフトの販売又は貸出を希望する場合は、店舗の従業員が専用の鍵で錠部材のロックを解除し、錠部材をハウジングから取外すことにより、外装ケースからソフト収納ケースを取出し、顧客に引き渡す。
【特許文献１】特許第３１５８２７２号公報
【特許文献２】特許第２８１１４１８号公報
【発明の開示】
【発明が解決しようとする課題】
【０００５】
前述の従来技術の場合、外装ケースのハウジングに対して錠部材を着脱自在に固着する構成であり、解錠に際しては、専用の鍵で錠部材のロックを解除した後、錠部材をハウジングから取外す作業を行い、また、施錠に際しては、錠部材をハウジングに正確に位置決めした状態で挿入固着する作業を行うため、作業が煩雑である。
【０００６】
しかも、錠部材は、ケース本体から取外されてしまうから、その紛失を防止するためには、解錠の後、再度、錠部材をハウジングに挿着することによりケース本体に付属させておくことが好ましい。然しながら、作業が煩雑なため、店舗の従業員が取外した錠部材をそのまま放置する虞れがあり、解錠後の錠部材が散乱するという問題がある。
【０００７】
そこで、本発明者は、先に、特願２００４−５５８４１として、錠部材のロック解除後も錠部材がケース本体に付属する構造とした商品展示ケースの開閉施錠装置を提案した。この開閉施錠装置は、ケース本体のハウジングに開口縁から開口部に向けて進退移動自在な錠部材を設けており、ハウジングに対して、鍵部材を挿入方向に移動した状態で錠部材を前進方向に移動した位置から後退方向に移動不能に保持し、錠部材を引出方向に移動した状態で錠部材を後退方向に移動可能とするように構成している。そして、鍵部材をハウジングに挿入したとき、鍵部材の引出方向への移動を阻止するように、揺動自在且つ弾性的に付勢されたロック爪と、該引出方向に対向してロック爪の先端部に係止する切欠部とから成るロック手段を設けている。そこで、ロック手段を解除する際には、ハウジングの外側から解錠磁石手段をロック爪に臨ませると、ロック爪が解錠磁性体を備えているので、解錠磁石手段に吸引される方向に揺動し、ロック爪の先端部を切欠部から脱するように構成されている。
ところが、本発明者が知見したところによると、先に提案した装置は、ロック爪の先端部に対して切欠部が錠部材の引出方向に対向する方向から係止しているに過ぎないため、不正な顧客がハウジングの外側から磁石を適当に臨ませ、ケース本体を揺する等の振動を与えているうちに、偶然にロック手段が解錠されてしまうという問題がある。
【課題を解決するための手段】
【０００８】
本発明は、上述のような課題を解決した商品展示ケースの開閉施錠装置及びその解錠装置を提供するものである。
【０００９】
そこで、本発明の開閉施錠装置が第一の手段として構成したところは、商品(1)を取出自在に収納したケース本体(5)に関して、商品(1)を取出不能とするように該ケース本体(5)を施錠する錠手段(10)と、該錠手段(10)を施錠自在且つ解錠自在にロックする鍵手段(9)を設けた構成において、前記鍵手段(9)は、ケース本体(5)のハウジング(8)に対して挿入方向Ｆ１に移動されたとき前記錠手段(10)を施錠し、引出方向Ｒ１に移動されたとき前記錠手段(10)を解錠するように構成され、前記鍵手段(9)を前記ハウジング(8)に挿入した状態で、該鍵手段(9)の引出方向Ｒ１への移動を阻止するように、前記引出方向Ｒ１と交差する方向に揺動自在且つ弾性的に付勢されたロック爪(27)(27A,28A)と、前記引出方向Ｒ１に対向してロック爪(27)の先端部に係止する切欠部(28)(28A,28B)とから成るロック手段(25)を備えると共に、該鍵手段(9)を引出方向Ｒ１に付勢することにより前記ロック爪(27)
(27A,28A)の先端部と切欠部(28) (28A,28B)を相互に押圧係止する弾性付勢手段(50)を備え、更に、前記ハウジング(8)の外部から解錠磁石手段(44)を臨ませたとき、前記ロック手段(25)の係止を解除する方向にロック爪(27)
(27A,28A)を揺動可能とする解錠用磁性体(26)(26A,26B)を備えており、前記ロック手段(25)が係止した状態から、鍵部材(9)を弾性付勢手段(50)に抗して挿入方向Ｆ１に移動させることにより前記ロック手段(25)の押圧係止を弛めると共に、前記ハウジング(8)の外部から解錠磁石手段(44)を臨ませることにより前記ロック手段(25)の係止を解除するように構成した点にある。
【００１０】
また、本発明の開閉施錠装置が第二の手段として構成したところは、収納室(3)に対して商品(1)を挿脱自在とするケース本体(5)の開口部(4)に、開口縁から開口部(4)の一部分を開閉自在に閉鎖する開閉施錠装置(7)を設けた構成において、ケース本体(5)の開口縁に沿ってＸ軸方向に延設されると共に該Ｘ軸方向の端部に出入口(15)を開設したハウジング(8)と、Ｘ軸方向に関して前記出入口(15)を介して挿入方向Ｆ１と引出方向Ｒ１に進退移動自在となるようにハウジング(8)に挿入された鍵部材(9)と、ケース本体(5)の開口縁から開口部に向かうＹ軸方向に関して開口部(4)に対する前進方向Ｆ２と後退方向Ｒ２に進退移動自在となるように前記ハウジング(8)に添設された錠部材(10)とから構成されており、前記錠部材(10)と鍵部材(9)は、相互に、鍵部材(9)を挿入方向Ｆ１に移動した状態で錠部材(10)を前進方向Ｆ２に移動した位置から後退方向Ｒ２に移動不能に保持し、鍵部材(9)を引出方向Ｒ１に移動した状態で錠部材(10)を後退方向Ｒ２に移動可能とするように構成されており、前記鍵部材(9)を前記ハウジング(8)に挿入した状態で、該鍵部材(9)の引出方向Ｒ１への移動を阻止するように、該引出方向Ｒ１と交差する方向に揺動自在且つ弾性的に付勢されたロック爪(27)と、前記引出方向Ｒ１に対向してロック爪(27)の先端部に係止する切欠部(28)とから成るロック手段(25)を備えると共に、該鍵部材(9)を引出方向Ｒ１に付勢することにより前記ロック爪(27)の先端部と切欠部(28)を相互に押圧係止する弾性付勢手段(50)を備え、更に、前記ハウジング(8)の外部から解錠磁石手段(44)を臨ませたとき、前記ロック手段(25)の係止を解除する方向にロック爪(27)を揺動可能とする解錠用磁性体(26)を備えており、前記ロック手段(25)が係止した状態から、鍵部材(9)を弾性付勢手段(50)に抗して挿入方向Ｆ１に移動させることにより前記ロック手段(25)の押圧係止を弛めると共に、前記ハウジング(8)の外部から解錠磁石手段(44)を臨ませることにより前記ロック手段(25)の係止を解除するように構成した点にある。
【００１１】
本発明の実施形態において、前記ロック手段(25)の切欠部(28)は、鍵部材(9)の引出方向Ｒ１に対向して臨む凹部(28a)を形成し、前記ロック爪(27)の先端部は、前記凹部(28a)に嵌入する凸部(27a)を形成することが好ましく、前記鍵部材(9)を弾性付勢手段(50)により引出方向Ｒ１に付勢した状態で、ロック爪(27)の凸部(27a)を切欠部(28)の凹部(28a)に嵌入せしめ、ロック爪(27)の揺動を阻止するように構成することが好ましい。
【００１２】
前記鍵部材は、前記ハウジングに挿入され、前記弾性付勢手段により付勢された状態で、前記ハウジングの出入口の縁部とほぼ面一となる栓部を備えることが好ましい。
【００１３】
更に、本発明の解錠装置が手段として構成したところは、上述の開閉施錠装置を解錠する解錠装置であり、ケース本体(5)のハウジング(8)の外部から鍵部材(9)のロック手段(25)に臨む第一支持壁(41)と、鍵部材(9)の栓部(23)に臨む第二支持壁(42)と、錠部材(10)の後退方向Ｒ２に対向して臨み前記第一支持壁(41)と平行に延びる受入溝(43)を構成し、前記第一支持壁(41)に解錠磁石手段(44)を設けると共に、前記第二支持壁(42)と前記鍵部材(9)の前記栓部(23)との何れか一方に、他方と当接する突起部(55)を設け、前記ケース本体(5)を前記第二支持壁(42)に向けて押し込んだとき、該突起部(55)により前記鍵部材(9)を弾性付勢手段(50)に抗して挿入方向Ｆ１に移動させるように構成した点にある。この際、前記第二支持壁(41)と前記鍵部材(9)の栓部(23)との間に、相互に係脱自在に係止する引抜き補助手段を設けることが好ましい。
【発明の効果】
【００１４】
本発明の開閉施錠装置は、ケース本体５の開口部４から収納室にソフト収納ケース等の商品を収容した後、錠部材１０を前進方向Ｆ２に移動することにより商品が取出し不能に施錠され、この際、鍵部材９をハウジング８に対して挿入方向Ｆ１に移動させれば、錠部材１０が後退方向Ｒ２に移動不能に保持されると共に、鍵部材９がロック手段２５により引出し方向Ｒ１への移動を阻止される。或いは、商品を収納した状態で、開閉自在なケース本体５を閉じることにより、ハウジング８に対して錠鍵兼用部材６０を挿入方向Ｆ１に挿入し移動すれば、該部材６０の錠手段１０によりケース本体５が解放不能に施錠されると共に、鍵手段９がロック手段２５により引出し方向Ｒ１への移動を阻止される。
【００１５】
従って、ソフト収納ケース等の商品は展示ケースから取出不能であり、しかも、鍵部材は、ハウジングの内部においてロック手段により引出方向に移動しないように係止されるので、顧客が勝手に解錠することはできず、ケース本体から商品を取出すことはできない。またこの際、弾性付勢手段がロック手段の係止状態を維持するように作用するので、振動等が生じたときでもロック状態が解除されることはなく、商品の取出しを良好に防止する。
【００１６】
顧客がソフトの販売又は貸出を希望する場合は、店舗の従業員が解錠装置３９で前記ロック手段２５の係止を解除すれば、鍵部材９は、ハウジング８から引出方向Ｒ１に移動可能となる。そこで、鍵部材９を引出方向Ｒ１に移動させることにより、錠部材１０を解錠することが可能となるので、商品を展示ケースから取出し、顧客に引き渡すことができる。
【００１７】
そこで、請求項１又は２に記載の本発明によれば、ロック手段２５は、鍵部材９の引出方向Ｒ１に交差する方向に揺動自在且つ弾性的に付勢されたロック爪２７と、前記引出方向Ｒ１に対向してロック爪２７の先端部に係止する切欠部２８により構成されており、更に、該ロック爪２７の先端部と切欠部２８を相互に押圧係止するように該鍵部材９を引出方向Ｒ１に付勢する弾性付勢手段５０が設けられている。従って、弾性付勢手段５０により、常時、ロック爪２７の先端部を切欠部２８に押圧しながら係止せしめているので、上述したように、不正な顧客がハウジング８の外側から磁石を適当に臨ませて解錠を試み、もしも、偶然に磁石がロック爪２７を解錠方向に揺動させる位置に臨まされるときでも、切欠部２８に圧接状態で係止しているロック爪２７の先端部が簡単に切欠部２８から退避することはなく、このため、偶然にロック手段２５が解錠されてしまう危険は低く、施錠効果が高いという効果を奏する。
【００１８】
そして、請求項３に記載の本発明によれば、ロック手段２５は、切欠部２８が鍵部材９の引出方向Ｒ１に対向して臨む凹部２８ａを形成し、ロック爪２７の先端部が該凹部２８ａに嵌入する凸部２７ａを形成し、弾性付勢手段５０で鍵部材９を引出方向Ｒ１に付勢することにより、常時、ロック爪２７の凸部２７ａを切欠部２８の凹部２８ａに嵌入せしめ、ロック爪２７の揺動を阻止しているので、不正な顧客がロック爪２７に向けて磁石を臨ませたときでも、ロック爪２７が切欠部２８から脱することはない。即ち、鍵部材９を引出自在となるように解錠するためには、一旦、鍵部材９を挿入方向Ｆ１に移動することにより、ロック爪２７の凸部２７ａを切欠部２８の凹部２８ａから後退させ、その状態で磁石を臨ませることによりロック爪２７を揺動させなければ、ロック手段２５が解錠させられることはないので、より一層、施錠効果が高く安全となる。
【００１９】
また、請求項４に記載の本発明によれば、鍵部材９をハウジング８に挿入し、弾性付勢手段５０によりロック手段２５をロックするように付勢した状態において、栓部２３が出入口１５の縁部とほぼ面一となるので、不正な顧客がハウジングの内部に針金等の治具を挿入することによりロック手段２５を解錠することは不可能であり、しかも、栓部を摘んで引出すこともできず、施錠時の高い安全性を保証する。
【００２０】
そして、本発明の解錠装置３９によれば、店舗の従業員が鍵部材９のロック手段２５に対応するハウジング８の背部を第一支持壁４１に沿わせると共に、栓部２３と第二支持壁４２の相互間に設けられた突起部５５を当接させ、ケース本体５を第二支持壁４２に向けて移動させれば、前記突起部５５により鍵部材９が弾性不正手段５０に抗して挿入方向Ｆ１に移動され、前記ロック爪２７の先端部と切欠部２８の押圧係止状態を弛ませつつロック爪２７を揺動自在な状態に解放し、これと同時に解錠磁石手段４４によりロック爪２７の解錠磁性体２６が吸引されつつロック手段２５を解除する。従って、この状態で、鍵部材９を引出方向Ｒ１に移動すれば、施錠装置は解錠される。この際、請求項５に記載の発明によれば、第二支持壁４１と栓部２３の間に相互に係止する引抜き補助手段４５、２４が設けられているので、ケース本体５を第一支持壁４１に沿って移動させるという動作により、鍵部材９を引出方向Ｒ１に移動させることができ、作業が極めて簡単容易でなる。
【発明を実施するための最良の形態】
【００２１】
以下図面に基づいて本発明の好ましい実施形態を詳述する。
【００２２】
（開閉施錠装置の構成）
図１ないし図３に示すように、ソフト収納ケース等の商品１を収容する外装ケースとしての展示ケース２は、収納室３に対して商品１を挿脱自在に収容させるようにほぼ全面開放状とされた開口部４を形成した皿状のケース本体５を構成しており、開口部４の対向する２辺に位置して、一方にストッパ壁６を設け、他方に開閉施錠装置７を設けている。
【００２３】
開閉施錠装置７は、ケース本体５の開口縁に沿ってＸ軸方向に延設されたハウジング８と、Ｘ軸方向に関して挿入方向Ｆ１と引出方向Ｒ１に進退移動自在となるようにハウジング８に挿入された鍵部材９と、ケース本体５の開口縁から開口部４に向かうＹ軸方向に関して開口部４に対する前進方向Ｆ２と後退方向Ｒ２に進退移動自在となるように前記ハウジング８に添設された錠部材１０とから構成されている。ハウジング８は、前記ストッパ壁６と共に、合成樹脂によりケース本体５と一体成形されており、鍵部材９と錠部材１０は、それぞれ合成樹脂により別個に成形されている。
【００２４】
従って、後述のように開閉施錠装置７を作動させることにより、錠部材１０を後退方向Ｒ２に移動させると、商品１は、ストッパ壁６を乗り越えさせることにより開口部４を介して収納室３にほぼ嵌入状に収容することができ、或いは、収容状態から開口部４を介して取出すことができる。商品１を収納室３に収納した状態で、錠部材１０を前進方向Ｆ２に移動させると、錠部材１０が開口部４の一部分を閉鎖し、これにより商品１を相互に対向するストッパ壁６と錠部材１０により拘束するので、商品１は収納室３から取出不能となる。
【００２５】
ハウジング８は、ケース本体５の背壁５ａとほぼ同一面をなして起立する背壁１１と該背壁１１の起立端からケース本体５の周壁５ｂに対面するＺ軸方向に延びる上壁１２により溝部１３を形成している。溝部１３は、開口部４の開口縁に沿って開口する溝開口１４と、Ｘ軸方向の端部に開口する出入口１５を開設しており、溝開口１４の内部にＹ軸方向に突出する連結片１６を備えている。尚、溝部１３のＸ軸方向の他端部は端壁１７により閉鎖されている。
【００２６】
錠部材１０は、前記溝部１３の溝開口１４を被う縦板部１８と、該縦板部１８から溝開口１４の内部に向けて延びる横板部１９とを備え、該横板部１９に前記連結片１６を挿入せしめる連結孔２０を形成している。従って、連結片１６と連結孔２０の係止により、錠部材１０は溝部１３に対して脱落不能に組み込まれ、しかも、Ｙ軸方向には移動可能とされている。
【００２７】
鍵部材９は、ハウジング８の出入口１５から溝部１３に挿入されたとき、前記縦板部１８に対面する縦壁部２１と、前記横板部１９に対面する横壁部２２とを備え、ハウジング８に対して挿入方向Ｆ１に移動した状態で、出入口１５の縁部とほぼ面一となるように挿入される栓部２３を備えており、該栓部２３の内側面に鉄板片等の引出用磁性体２４を設けている。
【００２８】
また、鍵部材９はハウジング８に挿入された状態で前記引出方向Ｒ１への移動を阻止するように係止するロック手段２５を備えており、ハウジング８の背壁１１の外部から後述する解錠磁石手段を臨ませたとき該ロック手段２５の係止を解除する鉄板片等の解錠用磁性体２６を設けている。また、鍵部材９のＸ軸方向に関して前記栓部２３と反対側端部に、鍵部材９がハウジング８に挿入された状態で鍵部材９を引出方向Ｒ１に付勢することにより、前記ロック手段２５の係止状態を維持する弾性付勢手段５０を設けている。
【００２９】
ロック手段２５は、鍵部材９とハウジング８の内壁部との相互間に設けても良いが、図示実施形態では、鍵部材９の縦壁部２１と錠部材１０の横板部１９の縁部との相互間に設けられている。即ち、鍵部材９の縦壁部２１に切欠を介してＸ軸方向と垂直な内側に向けて弾性的に付勢されると共に引出方向Ｒ１に先端部（２７ａ）を有するロック爪２７が設けられ、これに対して、錠部材１０の横板部１９の縁部には、Ｘ軸方向に沿って切欠部２８が延設され、該切欠部２８の端部にはロック爪２７の付勢された先端部を係止する構造が形成されている。従って、鍵部材９を挿入方向Ｆ１に移動し、栓部２３を出入口１５に挿入すると、ロック爪２７の先端部２７ａが切欠部２８の底部に没入して、その先端部が切欠部２８の端部に係止することにより、鍵部材９の引出方向Ｒ１の移動を阻止する。
【００３０】
弾性付勢手段５０は、鍵部材９に一体的に形成されたＶ字状のばね部材で構成されており、鍵部材９がハウジング８に挿入された状態でハウジング８の端壁１７の内面１７ａと接触してＶ字角度が小さくなるように押し込められ、それによる反発力がロック爪２７の先端と切欠部２８の端部との係合部に摩擦力を生じさせて、ロック手段２５の係止状態を良好に維持させる。即ち、鍵部材９が弾性付勢手段５０により引出方向Ｒ１に付勢された状態で、ロック爪２７の先端部を同様に引出方向Ｒ１に向けて付勢するので、該引出方向Ｒ１に対向して臨む切欠部２８の底部に対してロック爪２７の先端部が押圧状態で係止される。尚、図示実施形態において、弾性付勢手段５０は、鍵部材９の端部に設けた場合を例示しているが、ハウジング端壁１７の内面側に設けても良く、要するに、鍵部材９と端壁１７の間に設けておけば良い。
【００３１】
切欠部２８の底部は、引出方向Ｒ１に対向して臨む凹部２８ａを形成し、これに対して、ロック爪２７の先端部は、該凹部２８ａに嵌入する凸部２７ａを形成している。図例の場合、凹部２８ａは、切欠部２８における係止端部の上部が底部よりも張り出した鋭角部分を有するように形成されており、ロック爪２７の凸部２７ａは、この鋭角部分２８ａと接合するようにテーパ形状とされているが、要するに、凹部２８ａに凸部２７ａが嵌合した状態で、ロック爪２７が係止状態を解除する方向への揺動を阻止されるような形状に構成されていれば良い。従って、鍵部材９がハウジング８に挿入された状態で弾性付勢手段５０によって付勢されると、ロック爪２７の先端部の凸部２７ａが切欠部２８の凹部２８ａに収容された嵌合状態となる。これにより、ロック爪２７と切欠部２８との係止状態が安定し、振動等が生じた場合であってもロック手段２５のロックが解除されることを防止する。
【００３２】
そしてロック手段２５のロックを解除する際には、鍵部材９を挿入方向Ｆ１に若干押し込めば良い。それにより、弾性付勢手段５０によって付勢されることにより切欠部２８に押圧されていたロック爪２７の先端部が押圧係止状態を弛めることになる。図示実施形態の場合、ロック爪２７の凸部２７ａが切欠部２８の凹部２８ａから退避し、ロック解除可能な状態になる。
【００３３】
更に、錠部材１０と鍵部材９は、相互に、鍵部材９を挿入方向Ｆ１に移動したとき錠部材１０を前進方向Ｆ２に移動させ、鍵部材９を引出方向Ｒ１に移動したとき錠部材１０を後退方向Ｒ２に移動させる開閉連動手段２９により連動的に連結されている。
【００３４】
図示実施形態において、開閉連動手段２９は、錠部材１０の横板部１９と鍵部材９の横壁部２２の相互間に設けられ、鍵部材９の引出方向Ｒ１の移動により錠部材１０を後退方向Ｒ２に移動させる開放連動カム機構３０と、鍵部材９の挿入方向Ｆ１の移動により錠部材１０を前進方向Ｆ２に移動させる閉鎖連動カム機構３１を構成している。
【００３５】
開放連動カム機構３０は、鍵部材９の横壁部２２から引出方向Ｒ１に向けて下向き傾斜面を有する主動手段３２と、錠部材１０の横板部１９から挿入方向Ｆ１に向けて上向き傾斜面を有する従動手段３３とから構成されている。尚、主動手段３２は、アーム状に突出せしめ、若干の可撓性を有することが好ましい。従って、鍵部材９を引出方向Ｒ１に移動すると、主動手段３２の下向き傾斜面が従動手段３３の上向き傾斜面に沿って摺動し、錠部材１０を後退方向Ｒ２に移動させるように構成されている。尚、横壁部２２の主動手段３２に近傍する個所には従動手段３３の先端を受け入れる孔等の空間部３４が形成されており、横板部１９の従動手段３３に近傍する個所には主動手段３２の先端を受け入れる孔等の空間部３５が形成されている。
【００３６】
閉鎖連動カム機構３１は、引出方向Ｒ１に移動された鍵部材９と後退方向Ｒ２に移動された錠部材１０を相互にＹ軸方向から嵌合することにより、鍵部材９が出入口１５から抜き出されることを阻止する孔３６と突起３７を備えており、鍵部材９を引出位置から挿入方向Ｆ１に移動したとき、突起３７と孔３６の縁部の相互摺動により、錠部材１０を前進方向Ｆ２に移動させるカム面３８を突起３７に設けている。図示実施形態においては、孔３６を錠部材１０の横板部１９に設け、突起３７を鍵部材９の横壁部２２に設けると共に、挿入方向Ｆ１に向かう側の突起３７の縁部に突起の先端から上向き傾斜するカム面３８を設けているが、これとは反対に、孔３６を鍵部材９の横壁部２２に設け、突起３７を錠部材１０の横板部１９に設けても良い。
【００３７】
（解錠装置の構成）
前述の開閉施錠装置７の解錠を簡単容易に行わしめるため、図４（Ａ）に示すような解錠装置３９が提供される。解錠装置３９は、ベース壁４０と、ケース本体５におけるハウジング８の背壁１１の外部から鍵部材９のロック手段２５に臨む第一支持壁４１と、鍵部材９の栓部２３に臨む第二支持壁４２とを一体に備えている。
【００３８】
ベース壁４０は、錠部材１０の後退方向Ｒ２に対向して該錠部材１０に臨み、前記第一支持壁４１と平行に延びる受入溝４３を形成している。
【００３９】
第一支持壁４１は、内壁面に露出するように解錠磁石手段４４を設けており、第二支持壁４２は、内壁面に露出するように引出磁石手段４５を設けると共に、鍵部材９の栓部２３に当接する位置に突起部５５を設けている。但し、突起部５５は、図示実施形態では第二支持壁４２に設けてあるが、第二支持壁４２が臨む栓部２３に設けても良い。
【００４０】
（作用）
解錠装置３９の使用方法を図４（Ｂ）に基づいて説明し、開閉施錠装置７の解錠時の作用を図３に基づいて説明する。
【００４１】
図３（Ａ）（Ｂ）は、鍵部材９を挿入方向Ｆ１に移動し、栓部２３を出入口１５に挿入した状態を示している。この状態で、閉鎖連動カム機構３１の突起３７は孔３６から脱しており、該突起３７が錠部材１０の横板部１９を押下することにより、錠部材１０を前進方向Ｆ２に移動せしめている。また、弾性付勢手段５０が端壁１７の内面１７ａと接触して鍵部材９を引出方向Ｒ１に付勢しており、ロック手段２５のロック爪２７の凸部２７ａが切欠部２８の凹部２８ａに嵌入収容された状態にあり、ロック爪２７と切欠部２８との係止状態が解除されることを防止しつつ、鍵部材９の引出方向Ｒ１の移動を阻止している。
【００４２】
このような施錠状態から  店舗の従業員が解錠装置３９の使用し、開閉施錠装置７を解錠することにより、展示ケース２から商品１を取出すに際しては、図４（Ｂ）に示すように、ケース本体５を開閉施錠装置７が下向きとなるように姿勢保持した状態で、ハウジング８の背壁１１を第一支持壁４１に沿わせると共に、第二支持壁４２の突起部５５が栓部２３に当接するように、矢印ＤＮで示すように開閉施錠装置７を解錠装置３９に臨ませ、その状態からケース本体５を第一支持壁４１に沿って矢印ＰＳで示すように若干移動させて突起部５５が鍵部材９を若干押し込むようにし、その後、ケース本体５を第一支持壁４１に沿って矢印ＳＤで示すように移動させる動作を行えば、解錠磁石手段４４と解錠用磁性体２６の吸着を介して鍵部材９のロック手段２５の係止解除が自動的に行われ、引抜補助手段を構成する引出磁石手段４５と引出磁性体２４の吸着を介して栓部２３を第二支持壁４５に固定させた状態で、鍵部材９の引出方向Ｒ１の移動と、これに連動する錠部材１０の後退方向Ｒ２の移動を行わしめることができる。
【００４３】
即ち、解錠磁石手段４４がハウジング８の背壁１１に臨む状態で鍵部材９が挿入方向Ｆ１に若干押し込まれると、ロック爪２７の先端部（凸部２７ａ）が切欠部２８の係止部（凹部２８ａ）から後退し、しかもその状態でロック手段２５の解錠用磁性体２６が吸引力を受けるため、図３（Ｃ）に示すように、ロック爪２７が弾発付勢力に抗して揺動し、該ロック爪２７の先端部を切欠部２８から脱する。従って、鍵部材９は、引出方向Ｒ１に移動可能な状態となる。
【００４４】
前述のように、栓部２３の引出用磁性体２４が引出磁石手段４５に吸着される引抜き補助手段を構成しているので、ケース本体５を移動すると、図３（Ｄ）（Ｅ）に示すように、鍵部材９とハウジング８が相対的に移動する、即ち、鍵部材９がハウジング８に対して引出方向Ｒ１に移動する。鍵部材９が引出方向Ｒ１に移動すると、開放連動カム機構３０のアーム状の主動手段３２が撓みながら従動手段３３に係合しつつ摺動することにより、錠部材１０を後退方向Ｒ２に移動せしめる。この際、閉鎖連動カム機構３１の突起３７は孔３６に滑落するので、錠部材１０の後退方向Ｒ２の移動を可能にすると共に、鍵部材９が出入口１５から引き抜かれて脱落することを阻止する。このように鍵部材９の引出方向Ｒ１の移動に連動して錠部材１０を後退方向Ｒ２に移動させ、縦板部１８をケース本体５の開口部４から退避させることにより、開口部４を開放するので、商品１は収納室３から取出し可能となる。
【００４５】
解錠後、ケース本体５の収納室３に商品１を収容した後、再度、開閉施錠装置７による施錠を行う場合は、鍵部材９を引出位置から単に挿入方向Ｆ１に移動し、栓部２３を出入口１５に挿入するだけで良い。例えば、作業者が指先等で鍵部材９を挿入方向Ｆ１に押し込むと、閉鎖連動カム機構３１における突起３７のカム面３８が孔３６の縁部に対して挿入方向Ｆ１に向けて押圧するので、孔３６の縁部がカム面３８に沿ってＹ軸方向に移動し、錠部材１０を前進方向Ｆ２に移動させ、縦板部１８によりケース本体５の開口部４の一部分を閉鎖する。挿入方向Ｆ１の移動により、突起３７は、孔３６から脱した後、錠部材１０の横板部１９に接支され、錠部材１０を後退方向Ｒ２に移動しないように固定する。
【００４６】
更に、栓部２３が出入口１５からさらに若干奥に挿入されるまで鍵部材９を挿入方向Ｆ１に移動すると、ロック手段２５におけるロック爪２７の先端部（凸部２７ａ）が切欠部２８の底部（凹部２８ｂ）に没入し、その後、挿入方向Ｆ１への押圧を解除すると、弾性付勢手段５０によって鍵部材９が若干引出方向Ｒ１に引き戻されてロック手段２５におけるロック爪２７の先端部（凸部２７ａ）が切欠部２８の底部（凹部２８ａ）に押圧係止する（図示実施形態の場合、凸部２７ａが凹部２８ａに嵌入する）ので、鍵部材９を引出方向Ｒ１に移動しないように固定する。このとき、鍵部材９の栓部２３は出入口１５の縁部とほぼ面一となる。
【００４７】
尚、上記実施形態では鍵部材９を引出方向Ｒ１に移動させる引抜き補助手段として、鍵部材９に引出磁性体２４を設けると共に、第二支持壁４２に引出磁石手段４５を設ける態様を例示したが、これ以外の手段、例えば鍵部材９の栓部２３と第二支持壁４２とを互いに係合させた状態で鍵部材９を引出方向Ｒ１に移動させる手段などを採用しても良い。
【００４８】
（別の実施形態）
図５及び図６は、本発明の別の実施形態を示しており、ケース本体５は、一側縁に設けられたヒンジ手段を介して回動する開閉自在な一対の分割体５ａ、５ｂにより構成されており、商品を収納した後、両分割体５ａ、５ｂを閉じた状態で、錠鍵兼用部材６０により開かないように施錠される。
【００４９】
一対の分割体５ａ、５ｂを閉じた状態で、ケース本体５にはハウジング８が形成されるように構成されている。そこで、ハウジング８の出入口１５から錠鍵兼用部材６０を挿入方向Ｆ１に挿入したとき、錠鍵兼用部材６０は、分割体５ａ、５ｂの開閉端縁に設けた施錠部１０ａ、１０ｂに係合して該分割体５ａ、５ｂを解放不能に施錠する錠手段１０を設けている。また、ハウジング８に挿入された状態で、該部材６０それ自体を引出し方向Ｒ２に移動不能とすることにより錠手段１０を施錠状態に保持する反面、該部材６０それ自体を引出し方向Ｒ２に移動可能とすることにより錠手段１０を解錠可能とする舌片状の鍵手段９が設けられている。
【００５０】
そこで、前記鍵手段９とハウジング８の間には、該鍵手段９を挿入した状態で、該鍵手段９の引出方向Ｒ１への移動を阻止するように、該引出方向Ｒ１と交差する方向に揺動自在且つ弾性的に付勢されたロック爪２７Ａ、２８Ａと、前記引出方向Ｒ１に対向してロック爪２７Ａ、２８Ａの先端部に係止する切欠部２８Ａ、２８Ｂとから成るロック手段２５が設けられている。尚、ロック爪２７Ａ、２８Ａの裏面には解錠用磁性体２６Ａ、２６Ｂが設けられている。
【００５１】
また、鍵手段９の挿入方向の端部には、弾性変形自在な弾性付勢手段５０が設けられており、該鍵手段９をハウジング８に対して挿入方向Ｆ１に挿入した状態で、該弾性付勢手段５０がハウジング８の端壁１７ａに当接することにより圧縮され、錠鍵兼用部材６０を引出し方向Ｒ１に向けて弾発付勢するように構成されている。
【００５２】
従って、錠鍵兼用部材６０は、鍵手段９をハウジング８の出入口１５から挿入方向Ｆ１に挿入すると、錠手段１０がケース本体５の施錠部１０ａ、１０ｂに係合することにより分割体５ａ、５ｂを開放不能に施錠すると共に、鍵手段９がハウジング８の内部でロック爪２７Ａ、２７Ｂを切欠部２８Ａ、２８Ｂに係止することにより該鍵手段９の引出し方向Ｒ１への移動を阻止するようにロックされる。そして、このロック状態で、鍵手段９は、弾性付勢手段５０により引出し方向Ｒ１に向けて付勢されているので、ロック爪２７Ａ、２７Ｂと切欠部２８Ａ、２８Ｂを相互に係止方向に押圧する。この際、ロック爪２７Ａ、２７Ｂの先端部と、切欠部２８Ａ、２８Ｂの間には、上述したような凸部と凹部を形成することが好ましい。尚、錠鍵兼用部材６０の尾端縁には栓部２３が形成されており、該栓部２３がハウジング８の出入口１５の周縁と面一になるように嵌入され、該栓部２３の内側には引出用磁性体２４が設けられている。
【００５３】
鍵手段９を引出し方向Ｒ１に引き出すことにより解錠を行うためには、図６に示すような解錠装置３９が使用される。解錠装置３９は、ケース本体５のハウジング８の外部から鍵手段９のロック手段２５に臨む第一支持壁４１と、鍵手段９の栓部２３に臨む第二支持壁４２が備えられ、前記第一支持壁４１には解錠磁石手段４４が設けられ、第二支持壁４２には引出磁石手段４５が設けられている。更に、第二支持壁４２と前記栓部２３との何れか一方には、他方と当接する突起部５５が設けられている。即ち、図例の場合、突起部５５を第二支持壁４２に設けているが、栓部２３の表面に突出するように設けても良い。
【００５４】
そこで、図８に示すように、栓部２３が第二支持壁４２に向かい、ロック手段２５の解錠用磁性体２６Ａ、２６Ｂが第一支持壁４１に向かうようにして、ケース本体５を解錠装置３９に臨ましめ、栓部２３を突起部５５に当接した状態で押し当てると、錠鍵兼用部材６０は、弾性付勢手段５０に抗して若干だけ挿入方向Ｆ１に移動され、ロック爪２７Ａ、２７Ｂの先端部と切欠部２８Ａ、２８Ｂとの圧接状態を弛め又は僅かに離反する。これとほぼ同時に、ロック爪２７Ａ、２７Ｂは、解錠磁性体２６Ａ、２６Ｂを介して解錠磁石手段４４に吸引されることにより揺動し、切欠部２８Ａ、２８Ｂに対する係止を完全に解除する。
【００５５】
このようにしてロック手段２５のロックが解除されるので、その後は、ケース本体５を第二支持壁４２から離反する方向（図示の場合は上方向）に移動させると、引出用磁性体２４と引出磁石手段４５の吸着により構成される引抜き補助手段により、栓体２３を第二支持壁４２に固定した状態でケース本体５が移動されることにより、錠鍵兼用部材６０がケース本体５から引出し方向Ｒ１に引き抜かれ、錠手段１０を解錠する。これにより、ケース本体５は、一対の分割体５ａ、５ｂを開放自在とする。
【図面の簡単な説明】
【００５６】
【図１】本発明に係る開閉施錠装置の１実施形態を備えた展示ケースを示しており、（Ａ）は施錠状態を示す斜視図、（Ｂ）は解錠状態を示す斜視図である。
【図２】開閉施錠装置の１実施形態の要部を示す分解斜視図である。
【図３】開閉施錠装置の作用を示しており、（Ａ）は施錠状態を示す縦断面図、（Ｂ）は施錠状態を示す横断面図、（Ｃ）はロック手段の係止が解除された状態を示す横断面図、（Ｄ）は解錠状態を示す縦断面図、（Ｅ）は解錠状態を示す横断面図である。
【図４】本発明に係る解錠装置の１実施形態を示しており、（Ａ）は解錠装置と開閉施錠装置の関係を示す斜視図、（Ｂ）は解錠方法を示す斜視図である。
【図５】本発明に係る開閉施錠装置の別の実施形態を示す斜視図である。
【図６】本発明に係る開閉施錠装置の別の実施形態の解錠方法を示す斜視図である。
【符号の説明】
【００５７】
１    商品（ソフト収納ケース）
２    展示ケース
３    収納室
４    開口部
５    ケース本体
７    開閉施錠装置
８    ハウジング
９    鍵部材
１０    錠部材
１５    出入口
２３    栓部
２４    引出用磁性体
２５    ロック手段
２６    解錠用磁性体
２７    ロック爪
２７ａ  凸部
２８    切欠部
２８ａ  凹部
２９    開閉連動手段
３０    開放連動カム機構
３１    閉鎖連動カム機構
３２    主動手段
３３    従動手段
３６    孔
３７    突起
３８    カム面
３９    解錠装置
４１    第一支持壁
４２    第二支持壁
４３    受入溝
４４    解錠磁石手段
４５    引出磁石手段
５０    弾性付勢手段
５５    突起部
６０    錠鍵兼用部材
【図１】
2006123935.tif 000003
【図２】
2006123935.tif 000004
【図３】
2006123935.tif 000005
【図４】
2006123935.tif 000006
【図５】
2006123935.tif 000007
【図６】
2006123935.tif 000008